(57)【特許請求の範囲】
【請求項１】
上面に複数の炎口が列設された炎口部と該炎口部の下側に形成されかつ端部に燃料ガス供給口を有するガス通路とを備えた複数本のガスバーナを、上方が開口したバーナケースに収容してなるガスバーナユニットにおいて、
前記複数本のガスバーナは、炎口部長さが異なる少なくとも２種類のガスバーナで構成され、炎口部長さが同じ複数本のガスバーナを、各ガスバーナの燃料ガス供給口の開口方向を揃えて炎口部の長手方向に直角な方向に沿って並置して、炎口部長さが同じ複数本のガスバーナ毎にバーナブロックを構成し、各バーナブロックを、ガスバーナの炎口部の長手方向に沿って並置したことを特徴とするガスバーナユニット。
【請求項２】
並置されたガスバーナブロック相互の境界部において、一方のバーナブロックの各ガスバーナの端部と他方のバーナブロックの各バーナの端部とが交互に重なり合うように、前記バーナブロックを並置したことを特徴とする請求項１記載のガスバーナユニット。
【請求項３】
前記ガスバーナは、炎口部長さ毎にガスバーナの上下方向寸法が異なり、前記バーナケースが底板を有するとともに、ガスバーナの上下方向寸法が短いガスバーナで構成したバーナブロックの下側空間を狭めるように、前記バーナケースの底板を傾斜させたことを特徴とする請求項１または２記載のガスバーナユニット。
【発明の詳細な説明】
【０００１】
【発明の属する技術分野】
本発明は、上面に複数の炎口が列設された炎口部と該炎口部の下側に形成されかつ端部に燃料ガス供給口を有するガス通路とを備えた複数本のガスバーナを、上方が開口したバーナケースに収容してなるガスバーナユニットに関する。
【０００２】
【従来の技術】
近年、給湯器は、その設置容積をできるだけ小さくするため、薄型でコンパクトであるとともに、使い勝手を向上するためにＴＤＲ特性（ガスの絞り比）が高いものが望まれている。このため、該給湯器に使用されるガスバーナユニット自体もコンパクトにする必要がある。この種のガスバーナユニットとしては、図４に示すように、上面の炎口部の長手方向長さＬ1が８０ｍｍ以下の小ガスバーナ２ａを用いて、複数本の小ガスバーナ２ａを、その長手方向に直角な方向に沿って並置してバーナケース３に収容したものや、図５に示すように上面の炎口部の長手方向長さＬ2が１８０ｍｍ以上の大ガスバーナ２ｂを用いて、複数本の該大ガスバーナ２ｂを、その長手方向に直角方向に沿って並置してバーナケース３に収容したものが提案される。例えばガスバーナユニットを構成するガスバーナがブンゼン式のガスバーナである場合において、上面の炎口部の長手方向長さＬ1が８０ｍｍ以下の小ガスバーナでは、バーナの燃焼性を低下させず、燃料ガスと一次空気とを充分混合させるために、ガス通路である混合管の距離をある程度長くする必要があり、そのため、ガスバーナの上下方向寸法を長くして混合管の距離を確保することになるので、却って、給湯器内でバーナユニットが占める体積が大きくなる。また、上面の炎口部の長手方向長さＬ2が１８０ｍｍ以上の大ガスバーナは、ガスバーナ一本あたりの燃料ガス量が多くなり、それに伴って一次空気の吸引量を多く確保する必要があるために、混合管径を大きくしなければならず、ガスバーナ自体が大きくなる。
【０００３】
そのため、従来のガスバーナユニットでは、図６に示すように、混合管の長さを長くして燃焼性をよくするとともに、バーナの高さをできるだけ小さくできる、上面の炎口部の長手方向長さＬ3が８０ｍｍから１８０ｍｍ程度のガスバーナ２ｃを使用して、炎口部長さが同じ複数本のガスバーナ２ｃを、その長手方向に直角な方向に沿って並置してバーナブロックを構成し、同じ本数のガスバーナで構成したバーナブロック１１ｃ、１２ｃを左右対称となるように２個並置してバーナケース３に収容したものが使用されている。
【０００４】
【発明が解決しようとする課題】
しかしながら、このガスバーナユニットでは、図６に示すように該ガスバーナユニット自体としてはコンパクトに形成できるが、各ガスバーナブロック１１ｃ、１２ｃ毎に燃料ガスの供給を切り替えており、バーナ毎に絞ることができるガス量は同じであるので、ガスバーナの切り替えがない場合より、ガスバーナの能力を半分までしか絞ることができず、ＴＤＲ特性が高いものが得られない。また、燃料ガスの供給を本数毎に切り替えるようにすると、ＴＤＲ特性は高くなるが、燃料ガス供給経路が複雑になるとともに、製造コストが高くなる、という問題があった。
【０００５】
そこで、本発明は、コンパクトに形成することができるとともに、燃料ガス供給経路の構造が簡単であって、高ＴＤＲ特性が得られるガスバーナユニットを提供することにある。
【０００６】
【課題を解決するための手段】
この課題を解決するために請求項１記載の発明は、上面に複数の炎口が列設された炎口部と該炎口部の下側に形成されかつ端部に燃料ガス供給口を有するガス通路とを備えた複数本のガスバーナを、上方が開口したバーナケースに収容してなるガスバーナユニットにおいて、前記複数本のガスバーナは、炎口部長さが異なる少なくとも２種類のガスバーナで構成され、炎口部長さが同じ複数本のガスバーナを、各ガスバーナの燃料ガス供給口の開口方向を揃えて炎口部の長手方向に直角な方向に沿って並置して、炎口部長さが同じ複数本のガスバーナ毎にバーナブロックを構成し、各バーナブロックを、ガスバーナの炎口部の長手方向に沿って並置したことを特徴とする。
【０００７】
これにより、各バーナブロックにおけるガスバーナの燃焼ガス供給口の開口方向を揃えているので、ガス供給管を一系統で分岐させて各バーナブロックへ燃焼ガスを供給するようにでき、燃焼ガス供給経路の構造を簡単にできる。また、ガスバーナを、炎口部長さが異なる、即ち、燃焼能力が異なる少なくとも２種類のガスバーナを使用し、炎口部長さが同じ複数本のガスバーナ毎にガスバーナブロックを構成し、各ガスバーナブロックを、ガスバーナの長手方向に沿って並置したので、各バーナブロック毎に燃焼ガスの供給を切り替えだけで、高ＴＤＲ特性を得られる。
【０００８】
請求項２に記載の発明の特徴は、請求項１記載の発明において、並置されたガスバーナブロック相互の境界部において、一方のバーナブロックの各ガスバーナの端部と他方のバーナブロックの各ガスバーナの端部とが交互に重なり合うように、前記バーナブロックを並置したことを特徴とする。
【０００９】
これにより、一方のガスバーナブロックの各ガスバーナ端部と他方のガスバーナブロックの端部とが交互に重なり合うように、バーナブロックを並置したので、各バーナの重なり合った部分だけバーナケースをさらに小さくできる。また、バーナケースとして、従来の大きさのものを使用すると、バーナブロックの端部を重ね合わせた部分だけ、ガスバーナの炎口面を大きくすることができ、そのため、燃焼性を損なわずに給湯器の能力（最大ガス量）を上げることができ、能力に対して器具を小型化できる。さらに、従来のバーナケースと大きさが同じであって、給湯器の能力が同じであるとすると、ガスバーナの炎口面から噴出する炎が短くなるので、バーナ上部に設けられる熱交換器等を小型化できる。
【００１０】
請求項３記載の発明の特徴は、請求項１または請求項２記載の発明において、前記ガスバーナは、炎口部長さ毎にガスバーナの上下方向寸法が異なり、前記バーナケースが底板を有するとともに、ガスバーナの上下方向寸法が短いガスバーナで構成したバーナブロックの下側空間を狭めるように、前記バーナケースの底板を傾斜させたことを特徴とする。
【００１１】
これにより、給湯器におけるバーナユニットが占める体積をさらに減らすことができる。
【００１２】
【発明の実施の形態】
以下に、本発明のガスバーナユニットを、複数本のブンゼン式バーナで構成した場合の実施形態について説明するが、ガスバーナ自体はこれに限定されるものではなく、例えば、全一次式ガスバーナや濃淡燃焼ガスバーナでガスバーナユニットを構成することもできる。
【００１３】
図１は、本発明のガスバーナユニットを構成するブンゼン式バーナを示す斜視図である。本発明のガスバーナユニットは、後述するように、炎口部長さが２種類の複数本のブンゼン式バーナで構成されるが、炎口部の長さＬとガスバーナの上下方向寸法Ｈが異なり、その他の構成は同じであるブンゼン式バーナを使用する。
【００１４】
該ブンゼン式バーナ２は、ステンレス等の耐熱性の金属板をコ字状に折曲げて、その水平部を上面とし、該水平部の下側にガス分布室２０を形成するとともに、該ガス分布室２０の下側であって、このガス分布室２０に連通しかつ一側にガスノズル（図示せず）が臨むガス供給口２３を設けた略Ｕ字形のガス混合管２４を形成して、該金属板を貼り合わせて、その端部をかしめて構成されている。また、該バーナの上面の水平部は炎口部２５を構成し、該炎口部２５は、バーナ端部のかしめた部分（以下、「かしめ部」という）２２を残して、多数のスリット状の主炎口２６を長手方向に沿って列設する。ガス分布室２０の両側に多数の袖火ガス噴出口２９を設けて、該ガス噴射口２９の外側に間隔を置いて保炎板２７を臨ませて、バーナと保炎板２７との間隙をガス通路とし、該ガス通路の上端に袖火炎口２８（図２参照）を形成したものである。
【００１５】
また、該ブンゼン式バーナ２として、燃焼性をよくするためにガス混合管２４の長さをある程度長くできるとともに、ガスバーナの上下方向寸法をできるだけ小さくできるようにするため、上面の炎口部２５の長手方向長さＬが８０ｍｍから１８０ｍｍ程度のものが選択される。また、選択された炎口部２５の長さに応じてガスバーナの燃焼性をよくするガス混合管２４の最適な上下方向寸法Ｈが定められる。
【００１６】
図２は、上述の２種類のブンゼン式バーナから構成されたガスバーナユニットの概略上面図であり、図３は、図２のIIーII線に沿った断面図である。図２及び図３に示す本発明のガスバーナユニット１は、炎口部の長さＬ及びガスバーナの上下方向高さＨが同じである複数本のバーナ２を、バーナの長手方向に直角な方向に沿って、かつ燃料ガス供給口２３の開口方向を揃えて並置してなる大バーナブロック１１と小バーナブロック１２とを、各バーナの燃料ガス供給口２３が対向しないように左右に並置して、後述するバーナケース３にバーナ２の炎口部２５を上側にして収容したものである。また、各バーナブロック１１、１２を構成するバーナ２の本数はそれぞれ同じ本数であって、バーナケース３への収容時に、並置された大バーナブロック１１と小バーナブロック１２との境界部において、大バーナブロックの各ガスバーナのかしめ部２２ａと小バーナブロックの各ガスバーナのかしめ部２２ｂとが重なり合うように各バーナブロック１１，１２が並置される。この構成により、バーナケース３を小さくできる。また、バーナケースとして、従来の大きさのものを使用すると、バーナブロックの端部を重ね合わせた部分だけ、ガスバーナの炎口面を大きくすることができ、そのため、燃焼性を損なわずに給湯器の能力（最大ガス量）を上げることができ、能力に対して器具を小型化できる。さらに、従来のバーナケースと大きさが同じであって、給湯器の能力が同じであるとすると、ガスバーナの炎口面から噴出する炎が短くなるので、バーナ上部に設けられる熱交換器等を小型化できる。さらに、各バーナブロック１１、１２のバーナは、各ガスバーナの炎口部の高さが同じになるように配置されている。
【００１７】
各バーナブロック１１、１２を収容する、長尺で箱状のバーナケース３は、各ガスバーナ２に一次空気及び二次空気を流入させる開口部４０が形成された底板３１と、該底板と一体に形成されかつ並設された各バーナブロック１１，１２の長手方向を覆う側板３２と、該側板の両端であって、バーナケース３の長手方向の端部に形成された保持板３５とから構成されている。該保持板３５には保持部材が設けられており、該保持部材は、該バーナケースに収容される各ガスバーナのかしめ部２２を保持する複数の保持溝３３と、該保持溝と一体的に形成されているとともに、各バーナの下側を支持しかつ複数のパンチ穴を備えた底部４１とからなる。また、図３に示すように、バーナケース３の底板３１は、該バーナケースに収容されるガスバーナの上下方向寸法Ｈに合わせて、大バーナブロック側の平坦部３６と、小バーナブロック側の傾斜部３７とから構成されている。この小バーナブロック１２の下側空間を狭めるように、バーナケースの底板を傾斜して形成することにより、給湯器におけるバーナユニットの占有体積をさらに減らすことができる。また、小バーナブロック側の傾斜部３７を、大バーナブロック側の平坦部３６のように形成して、バーナケース３の底板３１を、断面で見て、階段状に形成することもできる。
【図面の簡単な説明】
【図１】本発明のバーナユニットを構成するブンゼン式バーナを示す斜視図。
【図２】バーナユニットの概略上面図。
【図３】図２のIIーII線に沿った断面図
【図４】従来のバーナユニットにおけるガスバーナの配置の一例を示す概略上面図。
【図５】従来のバーナユニットにおけるガスバーナの配置の変形例を示す概略上面図。
【図６】従来のバーナユニットにおけるガスバーナの配置の他の変形例を示す概略上面図。
【符号の説明】
１    バーナユニット
２    ブンゼン式バーナ
３    バーナケース
【図１】
0003657477.tif 000002
【図２】
0003657477.tif 000003
【図３】
0003657477.tif 000004
【図４】
0003657477.tif 000005
【図５】
0003657477.tif 000006
【図６】
0003657477.tif 000007